(57)【要約】【課題】録画予約を簡単にかつ素早く行なう。【解決手段】番組視聴中に、ユーザインターフェース制御部２１を構成するリモコンハンドユニット２２の録画キーを操作して録画を実行するための制御信号を制御部２０に供給することにより、制御部２０がグラフィック生成／重畳部１５で視聴番組の録画と次番組の録画予約をユーザに選択させるメッセージを生成してこれを映像出力部１７で画面表示させて、リモコンハンドユニット２２でユーザに選択させることで、ＥＰＧを表示させることなく、所望の番組の録画予約を実行することができる。【選択図】　　　図１
2004064462.tif 000002
【特許請求の範囲】
【請求項１】
番組を特定する番組識別情報を含む放送信号を受信する受信手段と、
記録媒体と、
前記放送信号を前記記録媒体に記録する記録手段と、
ユーザインターフェース手段と、
前記ユーザインターフェース手段からの要求に基づいて、前記記録手段を前記受信中の放送信号に続いて放送される番組を前記番組識別情報に基づいて特定して前記記録媒体に記録するように録画予約設定する記録制御手段と、
を具備したことを特徴とする放送番組記録装置。
【請求項２】
さらに、表示手段を有し、前記ユーザインターフェース手段からの要求によって、前記記録手段を前記受信中の放送信号に続いて放送される番組を前記番組識別情報に基づいて特定して前記記録媒体に記録するように設定するか否かの選択を行なわせるための表示を行なうように構成されていることを特徴とする請求項１に記載の放送番組記録装置。
【請求項３】
前記番組識別情報は、前記番組の放送開始時刻情報及び放送終了時刻情報であることを特徴とする請求項１に記載の放送番組記録装置。
【請求項４】
前記ユーザインターフェース手段は、リモコンハンドユニットを含み、当該リモコンハンドユニットからの録画要求信号によって前記記録制御手段が起動されるものであることを特徴とする請求項２に記載の放送番組記録装置。
【請求項５】
番組を特定する番組識別情報を含む放送信号を受信する受信するステップと、
ユーザインターフェース手段からの要求に基づいて、受信中の放送信号に続いて放送される番組を前記番組識別情報に基づいて特定して記録媒体に記録するように録画予約設定するステップと、
を具備したことを特徴とする放送番組記録方法。
【発明の詳細な説明】
【０００１】
【発明の属する技術分野】
本発明は、放送信号に多重されて伝送される番組表（ＥＰＧ：Ｅｌｅｃｔｒｏｎｉｃ　Ｐｒｏｇｒａｍ　Ｇｕｉｄｅ）を利用して放送番組を記録する放送番組記録装置に関し、特にＥＰＧの画面表示を省略して、操作を簡単に行なうようにした放送番組記録装置及び放送番組記録方法に関する。
【０００２】
【従来の技術】
現在実施されているデジタル衛星放送では、放送番組を構成する映像データ及び音声データの他に、付加データとして番組表（ＥＰＧ：Ｅｌｅｃｔｒｏｎｉｃ　Ｐｒｏｇｒａｍ　Ｇｕｉｄｅ）が多重伝送されており、このＥＰＧを利用した録画機能を備えた放送受信器も市販されている。
【０００３】
ＥＰＧを録画のために使用するには、まず、ＥＰＧデータを放送信号から取得し、取得したデータから番組表を構築して画面表示する。表示された番組表に対して、ユーザがリモコンハンドユニット等を操作することで、画面上のカーソルによって所望の番組を選択し、例えば決定ボタンを押すことでその番組の録画予約が行なわれ、放送開始時刻と共に記録媒体に対する放送番組の記録が開始され、番組の放送終了で記録が終了する。
【０００４】
このようなＥＰＧを利用した録画予約装置としては、例えば特開平１１−２３４６１２号あるいは特開平１１−２７５９０号に示されている。
ＥＰＧを利用した録画予約では、ユーザが録画したい番組の、チャンネル番号、放送開始時刻、放送終了時刻等のデータを入力する必要がなため、誤入力による誤予約の虞がほとんどなく、希望の番組の録画予約を簡単にかつ確実に行なうことができるものであるが、当然ながら、番組表を画面表示させてからでないと録画予約できず、また、将来の放送番組の録画予約が基本であり、現在視聴中の番組の録画を実行させることはできない。
【０００５】
したがって、ユーザが録画したい番組を認識していて、チャンネル、放送時間が判っている場合でも、ＥＰＧを画面表示させてリモコンハンドユニットのカーソルで選択する操作を行なわないと録画予約ができず、録画したい番組の放送開始時刻が迫ってきている場合には、煩わしい操作を強いられることになる。
【０００６】
【発明が解決しようとする課題】
以上のように、従来、ＥＰＧを利用した放送番組記録装置においては、ＥＰＧを画面表示してからでないと、録画予約を行なうことができず、操作が煩雑になるという問題があった。
本発明は、以上の点に対処してなされたものであり、ＥＰＧを画面表示させることなく、簡単な選択項目を画面表示してユーザに選択させるように構成することで、所望の放送番組の録画を簡単に、かつ確実に実行させることができる放送番組記録装置及び放送番組記録方法を提供することを目的とする。
【０００７】
【課題を解決するための手段】
本発明の放送番組記録装置は、番組を特定する番組識別情報を含む放送信号を受信する受信手段と、記録媒体と、前記放送信号を前記記録媒体に記録する記録手段と、ユーザインターフェース手段と、前記ユーザインターフェース手段からの要求に基づいて、前記記録手段を前記受信中の放送信号に続いて放送される番組を前記番組識別情報に基づいて特定して前記記録媒体に記録するように録画予約設定する記録制御手段と、
【０００８】
を具備したことを特徴とする。
本発明によれば、視聴している放送番組の次に放送される番組をＥＰＧ画面を利用することなく簡単に録画予約できるようになる。
本発明の放送番組記録方法は、番組を特定する番組識別情報を含む放送信号を受信する受信するステップと、ユーザインターフェース手段からの要求に基づいて、受信中の放送信号に続いて放送される番組を前記番組識別情報に基づいて特定して記録媒体に記録するように録画予約設定するステップと、を具備したことを特徴とする。
【０００９】
本発明によれば、視聴している放送番組の次に放送される番組をＥＰＧ画面を利用することなく簡単に録画予約できるようになる。
【００１０】
【発明の実施の形態】
以下、図面を参照して本発明の放送番組記録装置の一実施の形態を詳細に説明する。
図１は、本発明を組み込んだデジタル放送受信機１０のブロック図である。
入力端子１１は、図示しないケーブルを介してアンテナに接続されデジタル放送信号が供給される。入力端子１１に供給された放送信号は、チューナ／復調部１２に供給され、ここで、所定のチャンネルが選局され、復調され、さらに誤り訂正処理が施されて、ＭＰＥＧ（Ｍｏｖｉｎｇ　Ｐｉｃｔｕｅｒ　Ｅｘｐｅｒｔｓ　Ｇｒｏｕｐ）２のＴＳ（Ｔｒａｎｓｐｏｒｔ　Ｓｔｒｅａｍ）信号として出力される。
【００１１】
ＴＳ信号はデマルチプレクサ１３に供給され、ここで、番組の映像及び音声を構成する映像ストリーム、音声ストリームが分離され、それぞれデコーダ１４に供給される。デコーダ１４では、映像ストリーム及び音声ストリームに対して、ＭＰＥＧ２の復号処理を施し、復号された映像データは、グラフィック生成／重畳部１５に供給され、ここで適宜グラフィックの重畳が行なわれ、映像信号処理部１６に導出される。映像信号処理部１６では、映像信号に対して種々の処理が施され、アナログ信号に変換されて陰極線管等で構成される映像出力部１７に供給され、表示される。
【００１２】
また、復号された音声信号は、音声信号処理部１８に供給され、ここで種々の処理が施され、アナログ信号に変換されてスピーカ等で構成される音声出力部１９から出力される。
以上は、テレビジョン受信機としての基本的動作であり、チューナ／復調部１２による選局、デマルチプレクサ１３の制御、グラフィック生成／重畳部１５の制御、映像信号処理部１６の制御、音声信号処理部１８の制御は、制御部２０によって行なわれる。
【００１３】
制御部２０は、ユーザインターフェース制御部２１からの信号を受けて各回路ブロックを制御するように構成されている。ユーザインターフェース制御部２１は、例えば図２に示すリモートコントロールハンドユニットと、当該ハンドユニットからの信号を受ける受信部とで構成される。ユーザは、ユーザインターフェース制御部２１を介して、制御部２０に制御信号を送り、各回路ブロックの動作を制御する。
【００１４】
さらにまた、ユーザインターフェース制御部２１は、制御部２０を介してグラフィック生成／重畳部１５で生成されて画面表示されるカーソルの位置を変更する機能と、カーソルが対応する項目を選択する機能を有する。
ユーザインターフェース制御部２１を構成するリモコンハンドユニットの具体例を図２に示す。
ハンドユニット２２は、電源の切換制御を行なう電源キー２２ａと、チャンネルのアップダウン切換を行なうチャンネルキー２２ｂと、チャンネルを直接選択すると共に数字データを入力するテンキー２２ｃと、音量をアップダウン調整する音量キー２２ｄを有する。
【００１５】
以上の各キーは、通常のテレビジョン受像機の動作を制御するために用いられる。さらに、リモコンハンドユニット２２は、ＥＰＧを表示させるための番組表キー２２ｅと、カーソルキー２２ｆと決定キー２２ｇ、終了キー２２ｈキー、戻るキー２２ｉキーと、表示キー２２ｊを備えると共に、録画キー２２ｋを有する。他のキーは、本発明に直接関係しないため説明は省略する。
【００１６】
次にテレビジョン受像機１０の一般的な録画機能について説明する。
ユーザがリモコンハンドユニット２２の番組表キー２２ｅを操作することで、ＥＰＧの表示を実行させるための信号がユーザインターフェース制御部２１から制御部２０に送られる。これにより、制御部２０は、まず、デマルチプレクサ１３を制御してＥＰＧデータの抽出を行なう。抽出されたＥＰＧデータは、制御部２０に取込まれ、グラフィック生成／重畳部１５に送られて、ここで番組表に構築され、デコーダ１４からの映像信号に重畳されて映像信号処理部１６を介して映像出力部１７によって表示される。
【００１７】
図３に、ＥＰＧの表示例を示す。
図３の番組表３１においては、右上に現在の日時「７月２１日（日）ＰＭ１０：３０」が表示されている。また、チャンネルと時間が、マトリックス状に表示され、列方向にチャンネル「ＮＨＫ１０３」「ＢＳ日テレ１４１」「ビーエス朝日１５１」が順次表示され、行方向に、時間が「ＰＭ１０」「ＰＭ１１」と順次表示され、チャンネル名と時間の交わる部分に具体的な番組名が示されている。
【００１８】
すなわち、１０３チャンネル「ＮＨＫ」では、１０時から「世界の美術館」が放送され、１１時から「クラッシックコンサート」が放送され、１４１チャンネル「ＢＳ日テレ」では、１０時及び１１時からそれぞれ「ローカルニュース」が放送され、１５１チャンネル「ビーエス朝日」では、１０時から「全英オープンゴルフ」が放送されることを示している。
【００１９】
この番組表３１は、ハンドユニット２２のカーソルキー２２ｆのうち水平方向のカーソルキーを操作することで、他のチャンネルの番組がスクロール的に表示され、垂直方向のカーソルキー２２ｆを操作することで、時間がスクロール的に切換表示され、その時間の番組が表示されるようになる。
【００２０】
また、番組表３１には、列と行で示されるどれかの枠にカーソルが置かれ、このカーソルは、ハンドユニット２２のカーソルキー２２ｆで移動し、端まで移動した後さらにカーサルキー２２ｆの操作をし続けると、画面がスクロールされるようになる。
【００２１】
図３の番組表では、斜線によって「世界の美術館」にカーソルが位置していることを示している。
ハンドユニット２２のカーソルキー２２ｆの操作によって、所望の番組にカーソルを移動させた後、ハンドユニット２２の決定キー２２ｇを操作することで、図４に示すメッセージが画面に表示される。
図４においては、ＥＰＧのカーソルと、ハンドユニット２２の決定キー２２ｇによってＮＨＫの「世界の美術館」が視聴予約あるいは録画予約の対象として選択され、ユーザに次の選択を促すものである。最も下の行のコメント４１に示されているように、ハンドユニットの垂直方向のカーソルキー２２ｆによって、「視聴予約」４２か「録画予約」４３を選択し、決定キー２２ｇを押すことで、予約が実行される。図４においては、カーソル４４が「録画予約」にあり、次に決定キー２２ｇを操作することで「世界の美術館」の録画予約が実行される。
【００２２】
以上のようにして予約された番組情報は、図１のメモリ２３に蓄えられる。制御部２０において、記憶された番組情報と、実際の放送信号に含まれる番組情報とを比較して、予約した番組の放送が開始されたらデマルチプレクサ１３でそれを分離抽出して例えばＨＤＤ（Ｈａｒｄ　Ｄｉｓｋ　Ｄｒｉｖｅ）で構成される記録媒体２４に順次記録していき、番組の放送が終了したら記録を終了する。
【００２３】
ＭＰＥＧ２では、番組を構成する映像及び音声データがＰＳＩ（Ｐｒｏｇｒａｍ　Ｓｐｅｃｉｆｉｃ　Ｉｎｆｏｒｍａｔｉｏｎ）で管理される。また、ＰＳＩは、ＰＡＴ（Ｐｒｏｇｒａｍ　Ａｓｓｏｃｉａｔｉｏｎ　Ｔａｂｌｅ）、ＰＭＴ（Ｐｒｏｇｒａｍ　Ｍａｐ　Ｔａｂｌｅ）を含み、ＰＡＴは、ＰＭＴのパケット識別情報（ＰＩＤ：Ｐａｃｋｅｄ　Ｉｄｅｎｔｉｆｉｃａｔｉｏｎ）を含む、さらに時間制御情報としてＰＣＲ（Ｐｒｏｇｒａｍ　Ｃｌｏｃｋ　ｒｅｆｅｒｅｎｃｅ）が含まれ、これによってＳＴＣ（Ｓｙｓｔｅｍ　Ｔｉｍｅ　Ｃｌｏｃｋ）が管理され、受像機１０の時間情報が放送信号に同期する。
【００２４】
ＥＰＧもまた、ＰＳＩに含まれ、番組放送開始時刻データ、放送終了時刻データ、番組内容データを含む。したがって、それら各情報のうちの特定の情報あるいは、複数の情報を組合わせることで、ＥＰＧで録画予約した番組に対応する番組の映像及び音声データを特定して記録媒体２４に記録することができる。
【００２５】
なお、図１に示すテレビジョン受像機１０では、記録媒体１０を内部に備えているが、外部に設けられた記録再生装置に番組を記録することも可能であり、そのために、図１のテレビジョン受像機１０では、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ）１３９４バスを用いてＭＰＥＧ−ＴＳ信号を外部に導出する機能を備えている。また、放送番組のなかには、記録が制限されるものが含まれることがあり、その処理も行なっている。
【００２６】
すなわち、デマルチプレクサ１３で分離抽出された番組の映像ストリーム及び音声ストリームはコピープロテクション処理部２５に供給され、ここで、録画しようとする番組が録画（コピー）不可か、１回のみコピー可か、コピー自由かの判定し、録画不可であるなら、録画が実行されない。また、１回のみコピー可能であるならば、そのための制御信号を付加して出力する。
【００２７】
コピープロテクション方式は、例えばＣＧＭＳ−Ａ（Ｃｏｐｙ　Ｇｅｎｅｒａｔｉｏｎ　Ｍａｎａｇｅｍｅｎｔ　Ｓｙｓｔｅｍ−Ａｎａｌｏｇ）方式、５ＣＤＴＣＰ（Ｆｉｖｅ　Ｃｏｍｐａｎｙ　Ｄｉｇｉｔａｌ　Ｔｒａｎｓｍｉｓｓｉｏｎ　Ｃｏｎｔｅｎｔ　Ｐｒｏｔｅｃｔｉｏｎ）方式、マクロビジョン方式等があり、扱う信号の形態に応じて適用され、ＭＰＥＧ−ＴＳ信号として記録する場合は、５ＣＤＴＣＰ方式が適用される。
【００２８】
コピープロテクション処理部２５でコピー保護の処理が施されたＴＳ信号は、ＩＥＥＥ１３９４信号処理部２５でＩＥＥＥ１３９４規格に準拠した信号に変換されてＩＥＥＥ１３９４出力部２６に供給され、ＩＥＥＥ１３９４出力部２６から出力され、図示しない例えばＤ−ＶＨＳ（Ｄｉｇｉｔａｌ　Ｖｉｄｅｏ　Ｈｏｍｅ　Ｓｙｓｔｅｍ：登録商標）方式のＶＴＲ（Ｖｉｄｅｏ　Ｔａｐｅ　Ｒｅｃｏｒｄｅｒ）によって記録される。なお、コピープロテクション処理部２５は、記録媒体２４の放送番組を録画する場合にも機能し、コピー不可の場合には録画が実行されない。
【００２９】
次に、本発明の放送番組記録装置について説明する。
図２に示すリモコンハンドユニット２２によって、所望のチャンネルが受信されて、ユーザが視聴している状態において、ユーザがハンドユニット２２の録画キー２２ｋを押すと、制御部２０はそれを受けて、グラフィック生成／重畳部１５で図５に示すメッセージを生成して画面に表示させる。
【００３０】
すなわち、現在視聴している番組を録画するか否かと、現在視聴している番組の次の番組の録画を実行させるか否かの選択をユーザに行なわせるためのメッセージを表示させる。
ユーザは、ハンドユニットのカーソルキー２２ｆと決定キー２２ｇを操作して選択を行なう。
現在視聴している番組を録画するを選択すれば、視聴している番組の録画が即実行される。また、現在視聴している番組の録画をしないを選択すれば、録画は実行されない。現在視聴中の番組に関するいずれかの選択が行なわれることで、カーソル５１が自動的に次番組の録画をするに移り、ハンドユニット２２の決定キー２２ｇを操作することで、次番組の録画予約が完了して、メッセージの表示が消える。次番組の録画をしないを選択すればそのままメッセージを消して一連の処理が完了する。
【００３１】
現在視聴中の番組の録画はＰＳＩの特定情報を一旦メモリ２３に記憶し、その情報が伝送される間、録画を継続するように制御することが可能である。また、次番組の録画予約は、ＥＰＧデータから次番組の情報を取得してメモリ２３に記憶させることで実行される。
【００３２】
このように、現在視聴している番組の次の番組を予め熟知していれば、録画キー２２ｋとカーソルキー２２ｆと決定キー２２ｇでその番組の録画予約を行なうことが可能であり、わざわざＥＰＧを表示させてからカーソルで選択する操作が不必要になり、操作が極めて簡単に実行できるものである。
【００３３】
ハンドユニット２２の番組表キー２２ｅを操作してから、実際にＥＰＧが完全に画面表示されるまでには、場合によっては数十秒かかることもあり、これに対して、図５のメッセージは、録画キー２２ｋを押した後、極めて短時間で表示されて選択操作可能となるものであり、一連の操作を簡単に実行することが可能である。
【００３４】
図６に、本発明の放送番組記録装置の動作を説明するフローチャートを示す。図６において、ステップ６ａで開始され、ステップ６ｂで番組の視聴が実行される。次のステップ６ｃで録画キー２２ｋが押されたか否かの判定が行なわれ、録画キー２２ｋが押された場合には、ステップ６ｄでユーザ選択項目のメッセージが画面表示される。
【００３５】
ステップ６ｅで現在の視聴番組の録画をするが選択されたか否かの判定がなされ、録画するが選択された場合には、ステップ６ｆで現在の視聴番組の録画が実行される。次いでステップ６ｇでＥＰＧから番組構成データが取得され、ステップ６ｈで番組の放送が終了したか否かが判定され、放送終了になったらステップ６ｉで録画が停止し、ステップ６ｊで視聴番組の録画処理が終了する。
【００３６】
また、次番組の録画予約をするか否かの選択がステップ６ｋで判定され、次番組を録画予約するが選択された場合、ステップ６ｌでＥＰＧから番組構成データが取得され、次いでステップ６ｍで番組の放送が開始されたか否かの判定がなされ、放送が開始されたらステップ６ｎで録画を開始し、ステップ６ｏで番組の放送が終了になったか否かの判定がなされ、番組の放送が終了になったら、ステップ６ｐで録画が停止され、ステップ６ｑで次番組の予約録画処理が終了する。
【００３７】
また、ステップ６ｅとステップ６ｋで、現在の視聴番組の録画及び次番組の録画のいずれもしないが選択された場合には、ステップ６ｒでそれが認識され、ステップ６ｓで録画キャンセル処理が行なわれて終了となる。
以上説明したように、本発明の放送番組記録装置の実施の形態によれば、ＥＰＧデータを利用して番組の録画及び録画予約を実行するものであるが、ＥＰＧデータを画面表示させることなく、リモコンハンドユニットの録画キーを操作することで選択項目を画面表示させ、ハンドユニットのキー操作で、現在の視聴番組の録画あるいは、次番組の録画予約を行なうことができるため、簡単な操作で録画予約を行なうことができるものである。
【００３８】
【発明の効果】
以上のように、本発明によれば、現在視聴している番組を基準にして、次の放送番組の録画予約を行なうか否かの選択をユーザに行なわせるものであるため、ＥＰＧの画面表示を必要とせずに、放送番組の録画予約を行なうことができるものである。
【図面の簡単な説明】
【図１】本発明に係る、放送番組記録装置の一実施の形態を備えたテレビジョン受信機を示すブロック図。
【図２】図１に示す装置の要部の構成を説明するための図。
【図３】図１に示す装置の一般的な記録時に用いられるＥＰＧの表示例を示す図。
【図４】図３に示すＥＰＧを利用した記録操作時の操作手順を説明するための図。
【図５】本発明に係る、放送番組記録装置の操作手順を説明するための図。
【図６】図５に示す操作手順を説明するためのフローチャート。
【符号の説明】
１０…テレビジョン受信機
１１…入力端子
１２…チューナ／復調部
１３…デマルチプレクサ
１４…デコーダ
１５…グラフィック生成／重畳部
１６…映像信号処理部
１７…映像出力部
１８…音声信号処理部
１９…音声出力部
２０…制御部
２１…ユーザインターフェース制御部
２２…リモコンハンドユニット
【図１】
2004064462.tif 000003
【図２】
2004064462.tif 000004
【図３】
2004064462.tif 000005
【図４】
2004064462.tif 000006
【図５】
2004064462.tif 000007
【図６】
2004064462.tif 000008